【事件の表示】
　平成　８年特許願第　６１２６６号「携帯電話」拒絶査定に対する審判事件［平成　９年１０月　３日出願公開、特開平　９−２６１３１１］について、次のとおり審決する。
【結　論】
　本件審判の請求は、成り立たない。
【理　由】
第１．手続の経緯
　本願は、平成８年３月１８日の出願であって、平成１３年９月２５日付けで拒絶査定がなされ、これに対し、平成１３年１１月８日付けで審判請求がなされるとともに、特許法第１７条の２第１項第３号の規定により平成１３年１１月８日および平成１３年１２月７日付けで手続補正がなされたものである。
　
第２．平成１３年１２月７日付けの手続補正（以下、「本件補正」という。）について
　［補正却下の決定の結論］
　平成１３年１２月７日付けの手続補正を却下する。
　
　［理由］
　本件補正は、特許請求の範囲請求項１の記載を、
「文字を含むデータ及び該データを選択するためのカーソルとを表示する表示部と、該表示部のデータを前記カーソルの移動によって選択する選択キーと、該選択キーによって選択されたデータを確定する入力確定キーとを有し、前記入力確定キーによって確定された内容に対応して処理を行う回路とを備え、前記表示部に通話モードを選択するためのメニューを表示して、前記通話モードを前記選択キーによって前記カーソルの上下左右の動作に連動させて選択することを特徴とする携帯電話。」、
とすることを含む補正である。
　
　上記補正は、「前記通話モードを前記選択キーによって前記カーソルの上下左右の動作に連動させて選択すること」の補正事項を含むものであるが、
前記補正事項に関連して、願書に最初に添付した明細書又は図面（以下、「当初明細書等」という。）の記載には、
　
　（１）「【００２２】　まず、電源入力キー６を押して本携帯電話１の電源をＯＮすることにより、表示部３に、図２（ａ）に示すような通話モードを選択するためのメニューが表示される。ここでは、「ダイヤル」、「オートダイヤル」、「音声入力」及び「登録」の４つのメニューが表示される。このメニューのモードの選択は、選択キー２によって、表示部３内に表示されるカーソルＣ１を上下させることによって行い、「ダイヤル」の左横にカーソルＣ１を持ってきた状態において、入力確定キー４を押すことによって、「ダイヤル」モードが確定される。他のモードの選択も同様にして確定する。」（当初明細書　段落【００２２】）、
　
　（２）「【００２４】　以上の操作で決定された「ダイヤル」モードの表示を、図３（ａ）に示す。ここでは、電話番号の入力途中の状態を示している。この表示の初期状態においては、表示部３のＡ部に示すように０から９までの数字が表示されているのみである。このＡ部の０から９までの数字は、「ダイアル」モードにおいては常時表示されている。そして、このＡ部には選択キー２に対応して移動するカーソルＣ２が示されている。
【００２５】　この状態において、入力すべき数字（ここでは、相手先の電話番号）を選択キー２の左右の移動によって囲み、入力確定キー４を押すことによって最初の数字が設定、入力される。設定、入力された数字はＢ部に表示される。」（当初明細書　段落【００２４】、【００２５】）、
　
　（３）「【００２６】　次に、オートダイアルによって送信する場合について、図４（ａ）及び（ｂ）を参照して説明する。まず、前述の図２（ａ）に示す表示部３の表示状態において、カーソルＣ１を「オートダイアル」の左横に持ってきて入力確定キー４を押すことによって「オートダイアル」モードとなる。この「オートダイアル」モードの表示を図４（ａ）に示す。「オートダイアル」モードの表示は、Ｃ部に示すようなグループ番号、Ｄ部に示すような名前、Ｅ部に示すような電話番号から構成されている。上記のグループ番号は使用者が任意に設定したグループの番号であって、例えば会社、取引先、友人等に分けられる。
【００２７】　ここで、グループ１内で特定の名前を検索するには、選択キー２を上下に移動することによって表示部３におけるスクロールが行われる。別のグループを表示するには、選択キー２を左右に移動することによってグループ単位のスクロールが行われる。そして、所望の相手を検索した後に通話キーを押すことによって送信が行われる。」（当初明細書　段落【００２６】、【００２７】）、
　
　（４）「【００２８】　ところで、以上のようなグループ及び名前等のデータは外部から、例えば音声によって入力することも可能である。本実施例における操作は以下のとおりである。
【００２９】　まず、図２（ａ）の表示部３の表示において、上記と同様にカーソルＣ１の移動と入力確定キー４によって「登録」モードを選択する。この「登録」モードの表示を図６（ａ）に示す。この表示状態では、「マニュアル」、「外部入力」及び「音声入力」の３つの表示が示されている。図６（ａ）の例では「外部入力」の横にカーソルがあるが、ここでは、選択キー２を上下に移動することによって「音声入力」を選択する。この「音声入力」モードの表示は、図５（ａ）に示すようなものである。即ち、Ｆ部に示すように、「入力」、「取消」、「完了」の表示があり、Ｇ部には音声による入力結果が示されるようになっている。
【００３０】　そして、選択キー２を左右に操作することによって「入力」を選択し音声を入力できる状態（音声を入力データとして認識する状態）にする。この状態において、使用者が任意の電話番号をマイクロフォン９に対して発声することで、発声された電話番号が入力データとして認識され、表示部３のＧ部に表示される。」（当初明細書　段落【００２８】〜【００３０】）、
　
　（５）「【００３３】　次に、予め複数の電話番号や名前等のデータを持つ他の機器から本実施例の携帯電話へデータを入力する方法について説明する。
【００３４】　まず、図２（ａ）の表示部３の表示状態において、上記と同様にしてカーソルＣ１と入力確定キー４によって「登録」モードを選択する。この「登録」モードの表示を図６（ａ）に示す。この表示状態では、「マニュアル」、「外部入力」及び「音声入力」の３つの表示が示されている。この中から、選択キー２を上下に移動することによって「外部入力」を選択し、図７（ａ）に示すような受信待ちの状態とする。なお、他のモードも図６（ｂ）に示すフローに従って確定される。」（当初明細書　段落【００３３】、【００３４】）、
と記載され、
　通話モードを選択キーによってカーソルを上下させて選択すること、通話モードを選択し確定したあとの各通話モード中で数字等を選択キーによってカーソルを左右に移動させて選択すること、及び、特に、前記（３）には、通話モードを選択し確定したあとのオートダイアルモード中で特定の名前を選択キーによってカーソルを上下左右に移動させて選択すること、の記載はなされているが、
　通話モードを選択キーによってカーソルの上下左右の動作に連動させて選択することの記載はなされていない。
　よって、上記補正事項を含む本件補正は、本願の願書に最初に添付した明細書又は図面に記載した事項の範囲内でなされたものではなく、本件補正は、特許法第１７条の２第３項の規定に違反するので、同法１５９条第１項で準用する同法第５３条第１項の規定により却下する。
　
第３．本願発明について
　１．平成１３年１２月７日付け手続補正は、前記第２．のとおり却下され、また、特許法第１７条の２第１項第３号の規定による平成１３年１１月８日付けの手続補正は、その補正が、当初明細書等に記載した事項の範囲内であり、特許請求の範囲の補正は請求項の削除を目的とするものであるので、特許法１７条の２第４項の規定に適合し、補正が認められる、から、本願の請求項１に係る発明（以下、「本願発明」という。）は、平成１３年１１月８日付けで補正された明細書及び図面の記載からみて、次のとおりのものである。
【請求項１】
「文字を含むデータ及び該データを選択するためのカーソルとを表示する表示部と、該表示部のデータを前記カーソルの移動によって選択する選択キーと、該選択キーによって選択されたデータを確定する入力確定キーとを有し、前記入力確定キーによって確定された内容に対応して処理を行う回路とを備え、前記表示部に通話モードを選択するためのメニューを表示して、前記通話モードを前記選択キーによって選択することを特徴とする携帯電話。」
　
　２．引用例
　（１）原審の拒絶の理由に引用された、特開平５−２４４２４１号公報（以下、「引用例１」という。）には、図面とともに以下の事項が記載されている。
　
　ア．「【０００１】【産業上の利用分野】本発明は、電話機、特に、携帯電話機の小型化に寄与する技術に関する。」（２頁　段落【０００１】）、
　
　イ．「【０００６】すなわち、本願発明は、数字および記号からなるダイヤル釦イメージを全部またば一部記載した発信用表示画面を表示する表示手段と、上記表示手段により表示されたダイヤル釦イメージのうちから任意の数字または記号を選択するための選択手段と、上記選択手段により選択された数字または記号を確定するための確定手段とを備えるようにし、上記確定手段により確定された数字または記号をダイヤル番号として扱うようにしている。
−−−
　【０００９】上記選択手段は、例えば、カーソルキーとして実現することができ、上記確定手段は、例えば、エンターキーとして実現することができ、上記切り替え手段は、例えば、モードキーとして実現することができる。」（２頁　段落【０００６】〜【０００９】）、
　
　ウ．「【００１８】なお、本発明は、携帯電話機のように、特に小型化が望まれる電話機に適用されると、より効果的である。」（３頁　段落【００１８】）、
　
　エ．「【００２４】モードキー６，カーソルキー７，エンターキー８は、それぞれ、押下されると押下信号を発生し、ＣＰＵ１２は、ＲＯＭ１４に格納されたソフトウエアのアルゴリズムに従って、発生された押下信号に対応する本実施例の処理を実行する。
　【００２５】　図５は本実施例における発信時の操作手順を示すフローチャートである。
　【００２６】操作者は、まず、モードキー６を押下することにより、ディスプレイ４の表示画面を、発信用表示画面を表示する発信モードに切り替えるよう指示する。ＣＰＵ１２は、モードキー６の押下信号が発生されると、発信用表示画面に切り替える。発信用表示画面は、図１に示すように、０〜９の数字および＊，＃の記号からなるダイヤル釦イメージを１度に表示したものである。本実施例においては、例えば、電話番号登録用表示画面というような、発信用表示画面とは別の表示画面を有している。
　【００２７】操作者は、発信モードに切り替わると、カーソルキー７を押下することにより、ディスプレイ４に表示されたダイヤル釦イメージのうちから所望の数字または記号の下にカーソルを移動させる。ＣＰＵ１２は、カーソルキー７の押下信号が発生されると、それに応じて、カーソルの表示位置を変更する。
　【００２８】そして、操作者は、所望のまたは記号の下にカーソルが移動されると、エンターキー８を押下することにより、その数字または記号を確定する。ＣＰＵ１２は、エンターキー８の押下信号が発生されると、そのときのカーソルの表示位置に対応する数字または記号を、確定された被呼者ダイヤル番号として表示し、その数字または記号の下にカーソルを表示する。このとき、確定された数字または記号に対応する信号音をＤＴＭＦ発生器２０から発生させたり、確定された数字または記号を反転または強調表示したりするようにしてもよい。」（３、４頁　段落【００２４】〜【００２８】）。
　また、前記記載事項イ．の段落【０００６】の「上記選択手段により選択された数字または記号を確定するための確定手段とを備えるようにし、上記確定手段により確定された数字または記号をダイヤル番号として扱うようにしている。」及び、段落【０００９】の「上記確定手段は、例えば、エンターキーとして実現することができ」、記載事項エ．の段落【００２４】の「エンターキー８は、−−−押下されると押下信号を発生し、ＣＰＵ１２は、ＲＯＭ１４に格納されたソフトウエアのアルゴリズムに従って、発生された押下信号に対応する本実施例の処理を実行する。」、「【００２８】そして、操作者は、所望のまたは記号の下にカーソルが移動されると、エンターキー８を押下することにより、その数字または記号を確定する。ＣＰＵ１２は、エンターキー８の押下信号が発生されると、そのときのカーソルの表示位置に対応する数字または記号を、確定された被呼者ダイヤル番号として表示し、その数字または記号の下にカーソルを表示する。」の記載からみて、ＣＰＵが、エンターキーによって確定された数字または記号をダイヤル番号として扱い、確定されたダイヤル番号として表示し、その数字または記号の下にカーソルを表示する処理を行うことは自明の事項である。
　
　前記記載事項、図面及び技術常識からみて、引用例１には、
　「数字及び記号からなるダイヤル釦イメージ及び該ダイヤル釦イメージを選択するためのカーソルとを表示するディスプレイと、該ディスプレイの所望のダイヤル釦イメージの下にカーソルを移動させるカーソルキーと、カーソルの表示位置に対応する数字又は記号を確定するエンターキーとを有し、前記エンターキーによって確定された数字または記号をダイヤル番号として扱い、確定されたダイヤル番号として表示し、その数字または記号の下にカーソルを表示する処理を行うＣＰＵとを備えた携帯電話。」
　を構成とする発明（以下、「引用例１に記載された発明」という。）が記載されている。
　
　＃１．例えば、発明協会公開技報公技番号９１−１４２１９号（以下、「周知例１」という。）には、図面とともに以下の事項が記載されている。
　ア．「本技術の電話機は、電話機操作者が取り得る操作の選択肢を表示するディスプレー装置と、選択内容を座標情報で入力するためのタッチパネルと、その両者を制御するための制御装置を備えている。」（１頁左欄１４行〜右欄１行）、
　
　イ．「第２図の項目選択肢を表示し、タッチパネルを指で触れることにより座標情報を入力する。座標情報を選択情報として解析し、次の階層の選択肢である第３図電話宛先一覧を表示する。電話宛先を前記と同様、タッチパネルを指で触れることにより選択し、入力された座標情報によって、制御装置が電気信号を発信し、電話をかけることが出来る。」（１頁右欄５行〜１２行）。
　
　＃２．また、例えば、特開平５−３００２０６号公報（以下、「周知例２」という。）には、図面とともに以下の事項が記載されている。
　ア．「【００１２】　図１は本発明に係わるタッチパネル電話機およびＩＳＤＮ網への電話機の接続構成例を示す図、図２ないし図５はタッチパネルキー入力部と各機能表示モードとの関係を示す図である。
　　【００１３】　先ず、図１において１は人手などのタッチによつて例えばダイヤル機能Ｆ１，電話番号検索機能Ｆ２，伝言機能Ｆ３，チケット予約機能Ｆ４などの機能選択キー信号の他、各機能における実際の使用時の操作選択キー信号を入力するタッチパネルキー入力部であり、このタッチパネルキー入力部１から入力された機能選択キー信号または操作選択キー信号はキー識別部２に送られ、ここでそれぞれの選択キー信号に応じたキー識別データに変換されてＣＰＵ３に送られる。
　　【００１４】　このＣＰＵ３は、キー識別データからある機能識別データであると判断すれば、その機能識別データに対応する表示モードを選択するための指示を表示モード切換手段４に与え、一方、キー識別データから各機能のある特定の操作識別データであると判断すれば、その旨の指示をＬＡＰＤ処理手段５に送出する。」（３頁　段落【００１２】〜【００１４】）、
　
　イ．「（１）　ダイヤル機能を選択操作する場合（図２参照）。
　　【００２０】　予め電話番号を知っている特定の相手側に電話するとき、操作者はタッチパネルキー入力部１のダイヤル機能キー（Ｆ１）３１にタッチすると、ＣＰＵ３ではキー識別部２からのダイヤル機能識別データに基づいてダイヤル表示モードの選択と判断し、表示モード切換手段４に対してダイヤル表示モードを選択すべき指示を与える。ここで、表示モード切換手段４は、ＣＰＵ３からの選択指示に従って表示モード記憶手段６からダイヤル表示モードに係わる表示モードデータを読み出して表示部７に表示する。３２は表示部７に表示されたダイヤル表示モード画面を示す。従って、タッチパネルキー入力部１の操作キーとしては、数字などを表すダイヤルキー３３および他の機能キー（Ｆ２〜Ｆ４）３４のみが操作可能となる。」（３、４頁　段落【００１９】、【００２０】）、
　
　ウ．「（２）　電話番号検索機能を選択操作する場合（図３参照）。
　　【００２２】　電話番号が不明であるために通信相手先電話番号を検索する必要があるとき、操作者はタッチパネルキー入力部１の番号検索機能キー（Ｆ２）３６にタッチすると、ＣＰＵ３ではキー識別部２からの番号検索機能識別データに基づいて番号検索表示モードの選択と判断し、表示モード切換手段４に対して番号検索表示モードを選択すべき指示を与える。ここで、表示モード切換手段４は、ＣＰＵ３からの選択指示に従って表示モード記憶手段６から番号検索表示モードに係わる表示モードデータを読み出して表示部７に表示する。３７は表示部７に表示された番号検索表示モード画面を示す。」（４頁　段落【００２１】、【００２２】）。
　
　＃３．例えば、特開平７−２４０８００号公報（以下、「周知例３」という。）には、図面とともに以下の事項が記載されている。
　ア．「【００１６】　図３は、図１の電話装置本体２の液晶表示装置５の画面モードの実施例である。　図１の電話装置本体２に搭載されている液晶表示装置５は、前述したように、複数の画面モードを切り換えることができる。　図３（ａ）は、通常のダイアル入力で相手先の電話番号を指定する場合の通常ダイアルモードの液晶表示装置５の画面モード３１を示す。　液晶表示装置５の画面モード３１は、プッシュ式電話機と同様のキー配列と機能を表示がされる。　画面モード３１の左ブロックは１０キー部３１ａ、中央ブロックはオプション機能部３１ｂ、右ブロックは液晶表示装置５の画面モード切換部３１ｃ、左側上部は通話先電話番号部３１ｄが表示されている。　オプション機能部３１ｂは、様々な機能を設置することが可能であるが、留守録の機能に留守録設定ボタン３１ｂ−１と、留守録再生ボタン３１ｂ−２が設置されているが、その他保留、再呼、短縮、転送、オンフックなどの設置も可能である。　各キーの大きさは、各キーの機能に応じて設定することが可能であり、例えば１０キー部３１ａは大きく、オプション機能部３１ｂは比較的小さくといった設定が可能である。　画面モード３１で表示された状態以降の操作方法は、従来のプッシュホン電話と同様に相手先の電話番号を１０キー部３１ｂの番号のエリアを指またはスタイラス・ペン４で１０キー部３１ａを押せばよい。　また電話装置本体２は、入力時の入力確認用の音声生成回路（図示せず）を内蔵することにより、スピーカー７から音声を出力させながら、通話先電話番号部３１ｄの欄に入力番号を順次表示させて、通話先の電話回線と接続を行うことができる。」（４頁　段落【００１６】）、
　
　イ．「【００２１】　図５は、画面モード切換部３１ｃの検索キーを押したときの液晶表示装置５の画面モード５１を示す。　画面モード５１は、初期設定では５０音順に設定され、不特定の通話先を光磁気ディスクから検索する場合の実施例である。　画面モード５１は、画面上部に操作キー群として、液晶表示装置５の画面上部に５０音順検索キー５１ａと、職業別検索キー５１ｂと、地域指定検索キー５１ｃ、漢字変換するための変換キー５１ｄと、および検索を実行するための実行キー５１ｅと、入力切換用のキーであるＭＯＤＥキー５１ｇと、検索データのスクロールキーの↑キー５１ｊと↓キー５１ｋの操作キー群が設けられ、画面の下側にかなキー部５１ｆが設けられている。　また画面モード５１は、前記操作キー群とかなキー５１ｆの間に、入力された文字が表示される入力文字表示部５１ｈと検索内容が表示される検索部５１ｉが設けている。　画面モード５１の初期設定は、５０音順の検索設定とし、画面モード選択キー部３１ｃは図３（ａ）の場合と同様である。
　　　【００２２】　図５の画面モード５１は、選択キー部３１ｃの検索キーで切り替えた場合、自動的に５０音順検索キー５１ａを押したときの５０音順の検索モードに入るように初期設定することよって５０音順の検索が可能となり、他のモードの検索は前記操作キー群を選択して入力することで切り替え可能である。　画面モード５１における検索方法は、電子手帳などで電子辞書を引くときと同様に設定できる。　例えば検索データは、かなキー５１ｆから必要なかなを入力され、このとき漢字の場合は変換キー５１ｄを押して変換されて設定し、設定された検索データは、実行キー５１ｅを押すことで５０音順の前方一致の状態で検索を行い、検索データは実行キー５１ｅを再度押すと、住所等のより詳しいデータが表示され、送信キー５１ｌを押すと所定の電話番号が電話回線に送り込まれる。」（４、５頁　段落【００２１】、【００２２】）。
　
　＃４．例えば、特開平５−８３３５０号公報（以下、「周知例４」という。）には、図面とともに以下の事項が記載されている。
　ア．「すなわち、利用者が、発呼時に、この操作手順選択キー１７に触れると、操作手順制御部１０は、操作手順記憶部５にアクセスして、タッチパネル１の画面を、例えば、「ワンタッチダイヤル２０」、「短縮ダイヤル２１」、「不在設定２２」などからなる操作手順選択画面２３に切り替える。「ワンタッチダイヤル２０」、「短縮ダイヤル２１」、「不在設定２２」などの表示部分は、それぞれ表示された操作手順の選択キーとなり、利用者が、例えば、「ワンタッチダイヤル２０」の表示部分に触れると、操作手順制御部１０は、さらに、操作手順記憶部５から、ワンタッチダイヤルの登録操作や、ワンタッチダイヤルの発信操作などのワンタッチダイヤルに係わるそれぞれの操作手順に関するメニュー画面を表示する。そして、利用者が、例えば、ワンタッチダイヤルの登録操作の表示部分を触れると、それ以降は、ワンタッチダイヤルの登録操作手順が、対話的な入力操作に基づき順次に表示され、操作に不慣れな利用者でも、容易にワンタッチダイヤルの登録を行なうことができる。」（５頁　段落【０００９】）。
　
　＃５．例えば、特開平４−２０７７３９号公報（以下、「周知例５」という。）には、図面とともに以下の事項が記載されている。
　ア．「今、通話を開始するため受話器３を持ち上げるか又は受話器３を置いたまま発信するためフック釦７を押し操作すると、第２図（ａ）に示す様に、タッチスイッチ８として「リダイヤル」釦、「短縮ダイヤル」釦、「内線」釦が表示画面４に表出する。」（２頁左下欄９〜１４行）、
　
　イ．「この実施例では、それぞれの操作は、まずリダイヤルにあっては「リダイヤル」釦を押せば前回発信した電話番号先へ自動ダイヤル発信される。短縮ダイヤルにおいては表示された「短縮ダイヤル」釦を押しかつダイヤル釦６、６を例えば「１２」と押し操作すると予め記憶された電話番号先へ自動ダイヤル発信される。内線電話の発信をする場合は、表示された「内線」釦を操作すれば、内線子機が１台であれば直接自動ダイヤル発信される。２台以上接続している場合は、「内線」釦のタッチ操作の後、ダイヤル釦６を「１」、又は「２」のように操作することになる。」（２頁左下欄１７行〜右下欄９行）。
　
　＃６．例えば、特開平４−２００１３９号公報（以下、「周知例６」という。）には、図面とともに以下の事項が記載されている。
　ア．「電話機呼出手段３１は、一つの特定の釦操作により、各種の電話機種が画面表示され、その一つが画面座標指示手段３２で指定される。
　画面座標指示手段３２は、画面上の指定位置へ位置表示機構のカーソルを釦操作で移動させる構成、指定位置の画面上を指圧により指示する構成、指定位置の画面上に接触ペンを接触させて指示する構成、また指定位置に付与され画面表示された数字符号を数字釦の操作で指示する構成などがある。」（３頁左下欄１８行〜右下欄７行）。
　
　＃７．例えば、特開平５−２０７３４３号公報（以下、「周知例７」という。）には、図面とともに以下の事項が記載されている。
　ア．「【００３５】　１）メニューキーの押圧。
【００３６】　先ず、メニューキー９を押すと図５に示すように画面上にメインメニューが表示される。その際、メインメニューの最上位に位置するモード（図では「撮影モード」）が反転表示され、このモードに対するサブメニューが領域２２に表示される。」（３頁　段落【００３５】、【００３６】）、
　
　イ．「【００３８】　２）選択リングによる「タイトル色」の選択。
【００３９】　次に、選択リング１０を回すと、その回転方向に応じてメインメニューの反転表示が上下に移動する（図６参照。）。」（３頁　段落【００３８】、【００３９】）、
　
　ウ．「【００４２】　３）送り／確定キーの押圧。
【００４３】　送り／確定キー１１を押圧すると、図７に示すように、現在の選択されているモード「アカ」の先頭にカーソル２４が表示される。」（４頁　段落【００４２】、【００４３】）、
　
　エ．「【００８４】　上記の例では、選択リング１０の操作によって選択肢のうち所望のものにカーソルを移動させるようにしたが、これは操作の容易性を考慮したためであり、スイッチの形状については、例えば、図１３に示すようにアップキー２７とダウンキー２８とにより方向キーを構成して、アップキー２７の押圧時にカーソルが上方に進み、ダウンキー２８の押圧時にカーソルが下方に進むようにしても良い。
【００８５】　また、上記の例では、図１３（ａ）に示すように、表示画面の縦方向をモードの選択方向に選ぶとともに表示画面の横方向をメニューの階層に方向に選んで選択リング１０（又はアップ／ダウンキー）の操作方向がモードの変更方向に対応するよう縦型の配置にしたが、これとは逆に図１３（ｂ）に示すように、表示画面の横方向をモードの選択方向に選ぶとともに表示画面の縦方向をメニューの階層に方向に選んで選択リング１０（又はアップ／ダウンキー）の操作方向をモードの変更方向に対応するような横型の配置を採用しても良い。
【００８６】　また、メニュー表示に関しては、様々な表現形態を採ることができ、例えば、選択した項目の表示に関して上記の例では、選択項目の指示を３角形状のカーソルによって行ったが、項目の色分けや表示文字に種類を変えることによって選択した項目とそれ以外の項目とを区別するようにしたり、選択した項目をブリンク表示で区別しても良い。」（５頁　段落【００８４】〜【００８６】）。
　
　＃８．例えば、特開平７−１３５６１４号公報（以下、「周知例８」という。）には、図面とともに以下の事項が記載されている。
　ア．「【００２５】　次に、画面モードの選択時の動作について説明する。まずテレビジョン受像機の操作部またはリモコンの、メニュー画面１１（図２）を表示させるためのボタンが、使用者によって操作されると、マイコン５より、その操作に対応したコマンドが表示コントローラ２に出力される。すると、表示コントローラ２は、メニュー画面１１（図２）に対応した画像信号を生成し、画像変換回路３を介してＣＲＴ４に出力する。これにより、ＣＲＴ４においては、例えば図２に示すようなメニュー画面１１が表示される。
【００２６】　ここで、メニュー画面１１には、その左側の部分に、メインメニューであるアイコン１４ａ乃至１４ｄが表示される。アイコン１４ａ乃至１４ｄそれぞれには、テレビジョン受像機の操作部またはリモコン（以下、両方含めて操作部という）を操作することによって、カーソル１２を移動することができるようになされており、アイコン１４ａ乃至１４ｄを指示する位置に、カーソル１２を移動し、そこで、操作部の確定ボタン（図示せず）を操作すると、アイコン１４ａ乃至１４ｄそれぞれに対応したメニューが、メニュー画面１１の右側の部分に表示されるようになされている。」（４頁　段落【００２５】、【００２６】）、
　
　イ．「【００２８】　図２においては、アイコン１４ｂが選択され、これによりメニュー画面１１の右側の部分に、ＣＲＴ４の画面モードを制御するためのメニューモードの画面（以下、選択画面という）が表示されている様子を示している。さらに、図２では、メインメニューであるアイコン１４ａ乃至１４ｄのうち、アイコン１４ｂが選択されていることが判るように、アイコン１４ｂのバックグランドカラーが、他のアイコン１４ａ，１４ｃ、および１４ｄのバックグランドカラーと異なる色になされている。」（４頁　段落【００２８】）。
　
　３．対比・判断
　
　本願発明と引用例１に記載された発明とを対比すると、
　（ａ）引用例１に記載された発明の「数字及び記号からなるダイヤル釦イメージ」、「ディスプレイ」、「カーソルキー」、「エンターキー」は、各々、本願発明の「文字を含むデータ」、「表示部」、「選択キー」、「入力確定キー」である。
　（ｂ）引用例１に記載された発明の「確定された数字または記号」、「ＣＰＵ」は、各々、本願発明の「確定された内容」、「回路」である。
　
　（ｃ）引用例１に記載された発明の「前記エンターキーによって確定された数字または記号をダイヤル番号として扱い、確定されたダイヤル番号として表示し、その数字または記号の下にカーソルを表示する処理を行うＣＰＵ」なる記載から、「前記エンターキーによって確定された数字または記号に対応して、該確定された数字または記号をダイヤル番号として扱い、確定されたダイヤル番号として表示し、その数字または記号の下にカーソルを表示する、処理を行うＣＰＵ」の構成は自明であるので、引用例１に記載された発明の「前記エンターキーによって確定された数字または記号をダイヤル番号として扱い、確定されたダイヤル番号として表示し、その数字または記号の下にカーソルを表示する処理を行うＣＰＵ」は、前記（ａ）、（ｂ）を考慮して、「前記入力確定キーによって確定された内容に対応して、該確定された内容をダイヤル番号として扱い、確定されたダイヤル番号として表示し、その内容の下にカーソルを表示する、処理を行う回路」であり、本願発明の「前記入力確定キーによって確定された内容に対応して処理を行う回路」である。
　
　そうしてみると、本願発明と引用例１に記載された発明とは、
　「文字を含むデータ及び該データを選択するためのカーソルとを表示する表示部と、該表示部のデータを前記カーソルの移動によって選択する選択キーと、該選択キーによって選択されたデータを確定する入力確定キーとを有し、前記入力確定キーによって確定された内容に対応して処理を行う回路とを備えた携帯電話。」、
である点において一致し、
　本願発明が、「前記表示部に通話モードを選択するためのメニューを表示して、前記通話モードを前記選択キーによって選択する」のに対し、引用例１に記載された発明では、このような通話モードの選択の記載がない点、で相違する。
　
　前記相違点について検討すると、
　周知例１の、それぞれの「選択肢」、周知例２の「ダイヤル機能」及び「電話番号検索機能」、周知例３の「通常ダイアルモード」、「再呼」及び「短縮」、周知例４の「ワンタッチダイヤル」及び「短縮ダイヤル」、周知例５の「リダイヤル」、「短縮ダイヤル」及び「内線」は、各々、本願発明の「通話モード」であるから、電話機において、表示部に通話モードを選択するためのメニューを表示して、通話モードを選択することは、例えば、周知例１〜５に開示されているように、本願出願前周知の事項である（以下、「周知事項１」という。）。
　また、表示部に選択肢をメニュー表示して、そのなかから一つを選択キーによってカーソルを移動し選択することは、例えば、周知例６〜８に記載されているように、本願出願前周知の事項である（以下、「周知事項２」という。）。
　そして、引用例１に記載された発明と、前記周知事項１とは、電話装置分野として技術分野が共通するものであるので、引用例１に記載された発明に、前記周知事項１を適用することは当業者が容易になし得たことであり、その際、メニュー表示されている中から特定のものを選択する技術として、表示部に選択肢をメニュー表示して、そのなかから一つを選択キーによってカーソルを移動し選択することは、前記したように周知の事項であるから、引用例１に記載された発明において、前記周知事項１、２を考慮して、「前記表示部に通話モードを選択するためのメニューを表示して、前記通話モードを前記選択キーによって選択する」ようにすることは当業者が容易に成し得たことである。
　また、本願発明の奏する効果も、引用例１に記載された発明、周知事項１、２から当業者が予想し得る程度のものである。
　
　４．むすび
　以上のとおり、本願発明は、引用例１に記載された発明及び周知事項に基づいて、当業者が容易に発明をすることができたものであるから、特許法第２９条第２項の規定により特許を受けることができない。
　よって、結論のとおり審決する。